(57)【要約】      （修正有）【課題】排気装置を備えた排気側空調機に連通する排気ダクトと給気側空調機に連通する給気ダクトとからなる空調機ダクトを効率よく清掃するシステム及び清掃方法を提供する。【解決手段】清掃システムは、給気ダクト４と排気ダクト５とに連通する通路を構成するバイパスダクト６と、該通路を開閉する開閉ダンパ６１と、排気側空調機３に配設された集塵手段３２とを備える。開閉ダンパ６１で通路を開いた場合には、バイパスダクト６を介して給気ダクト４内の塵を排気側空調機３に吸引して集塵手段３２に収集し、開閉ダンパ６１で通路を閉じた場合には、排気ダクト５内の塵を排気装置３３により排気側空調機３に吸引して集塵手段３２に収集する。【選択図】図１
2015132446.tif 000002
【特許請求の範囲】
【請求項１】
排気装置を備えた排気側空調機に連通する排気ダクトと給気側空調機に連通する給気ダクトとからなる空調機ダクトを清掃するシステムであって、
前記給気ダクトと前記排気ダクトとに連通する通路を構成するバイパスダクトと、
前記通路を開閉する開閉ダンパと、
前記排気側空調機に配設された集塵手段とを備え、
前記開閉ダンパで前記通路を開いた場合には、前記バイパスダクトを介して前記給気ダクト内の塵を前記排気装置により前記排気側空調機に吸引して前記集塵手段に収集し、
前記開閉ダンパで前記通路を閉じた場合には、前記排気ダクト内の塵を前記排気装置により前記排気側空調機に吸引して前記集塵手段に収集することを特徴とする空調機ダクトの清掃システム。
【請求項２】
前記集塵手段は、前記排気装置よりも前記排気ダクトに近い位置に配設されていることを特徴とする請求項１に記載の空調機ダクトの清掃システム。
【請求項３】
前記バイパスダクトは、前記給気ダクトと前記排気ダクトとの間に取り外し可能に結合されることを特徴とする請求項１又は２に記載の空調機ダクトの清掃システム。
【請求項４】
排気装置を備えた排気側空調機に連通する排気ダクトと給気側空調機に連通する給気ダクトとからなる空調機ダクトを清掃する方法であって、
前記給気ダクトと前記排気ダクトとに連通する通路を構成するバイパスダクトと、前記通路を開閉する開閉ダンパと、前記排気側空調機に配設された集塵手段とを有する清掃システムにおいて、
前記開閉ダンパで前記通路を開いたときに、前記バイパスダクトを介して前記給気ダクト内の塵を前記排気装置により前記排気側空調機に吸引して前記集塵手段に収集する工程と、
前記開閉ダンパで前記通路を閉じたときに、前記排気ダクト内の塵を前記排気装置により前記排気側空調機に吸引して前記集塵手段に収集する工程とを行うことを特徴とする空調機ダクトの清掃方法。
【請求項５】
排気装置を備えた排気側空調機に連通する排気ダクトと給気側空調機に連通する給気ダクトとからなる空調機ダクトを清掃する方法であって、
前記排気側空調機には、前記排気ダクトから引き込まれた塵を収集する集塵手段が配設され、
前記給気ダクト及び前記排気ダクトにそれぞれ接続孔を設ける工程と、
開閉ダンパで開閉される通路を構成するバイパスダクトの一端を前記給気ダクトの接続孔に、該バイパスダクトの他端を前記排気ダクトの接続孔にそれぞれ連結する工程と、
前記開閉ダンパで前記通路を開いたときに、前記バイパスダクトを介して前記給気ダクト内の塵を前記排気装置により前記排気側空調機に吸引して前記集塵手段に収集する工程と、
前記開閉ダンパで前記通路を閉じたときに、前記排気ダクト内の塵を前記排気装置により前記排気側空調機に吸引して前記集塵手段に収集する工程とを行うことを特徴とする空調機ダクトの清掃方法。
【請求項６】
前記集塵手段は、前記排気装置よりも前記排気ダクトに近い位置に配設されていることを特徴とする請求項４又は５に記載の空調機ダクトの清掃方法。
【請求項７】
排気装置を備えた給気側空調機に連通する給気ダクトと排気側空調機に連通する排気ダクトとからなる空調機ダクトの清掃に用いられるダクトであって、
その内部通路を開閉自在な開閉ダンパを備え、一端が前記給気ダクトに接続され、他端が前記排気ダクトに接続されるように構成したことを特徴とするバイパスダクト。
【発明の詳細な説明】
【技術分野】
【０００１】
本発明は、空調機ダクトの清掃方法、清掃システム、及び空調機ダクトの清掃に用いられるバイパスダクトに関する。
【背景技術】
【０００２】
従来、ダクト管内に堆積する粉塵（ダスト）を除去してダクト管内を清掃するために、集塵機の吸引作用が及ぶダクト管の内部を、清掃ブラシを用いて清掃するダクト管用粉塵清掃装置が提案されている（特許文献１）。
【０００３】
このような清掃装置を用いてダクト管内の清掃を行う際には、現場に集塵機を搬入して、これを清掃対象のダクトに連通させるため仮設ダクトを接続することが必要である。さらに、集塵機を設置するスペース及び集塵機用の電源を用意する必要がある。
【０００４】
また、清掃対象が、給気側空調機に連通する給気ダクトと、排気側空調機に連通する排気ダクトのように、互いに接続されていない別系統のダクトである場合には、給気ダクトと排気ダクトをそれぞれ個別に清掃するため、各ダクトごとに集塵機を仮設ダクトを介して接続した上で清掃作業を行わなければならない。このため、清掃作業の前後で各ダクトごとに仮設ダクトの接続と撤去を行う必要がある。
【先行技術文献】
【特許文献】
【０００５】
【特許文献１】特開平１１−１９２４６２号公報
【発明の概要】
【発明が解決しようとする課題】
【０００６】
本発明は、上記のように手間と費用がかかるダクト清掃の状況に鑑み、空調機ダクトを構成する給気ダクトと排気ダクトを低コストで効率よく清掃する方法と、その方法を実施するためのシステム及びその方法の実施に用いられるバイパスダクトを提供することを目的とする。
【課題を解決するための手段】
【０００７】
本発明は、排気装置を備えた排気側空調機に連通する排気ダクトと給気側空調機に連通する給気ダクトとからなる空調機ダクトを清掃するシステムであって、
前記給気ダクトと前記排気ダクトとに連通する通路を構成するバイパスダクトと、前記通路を開閉する開閉ダンパと、前記排気側空調機に配設された集塵手段とを備え、前記開閉ダンパで前記通路を開いた場合には、前記バイパスダクトを介して前記給気ダクト内の塵を前記排気装置により前記排気側空調機に吸引して前記集塵手段に収集し、前記開閉ダンパで前記通路を閉じた場合には、前記排気ダクト内の塵を前記排気装置により前記排気側空調機に吸引して前記集塵手段に収集することを特徴とする。
【０００８】
本発明の清掃システムでは、バイパスダクトが給気ダクトと排気ダクトとに連通する通路を構成しており、開閉ダンパで開閉される。そこで、空調機ダクトを清掃するために、例えば、給気ダクトから清掃を開始する場合には、前記通路を開閉ダンパで開いた状態にして、排気側空調機に装備又は配置された排気装置を作動させると、給気ダクト内の塵がバイパスダクトの開いた通路を通って、排気側空調機に連通した排気ダクトに吸引され、排気側空調機に配設された集塵手段に収集される。
【０００９】
また、排気ダクトを清掃する場合には、前記通路を開閉ダンパで閉じると、給気ダクトと排気ダクトとの間の連通が遮断された状態になるので、排気装置を作動させると、排気ダクト内の塵が排気ダクトから排気側空調機に吸引され、排気側空調機に配設された集塵手段に収集される。以上のようにして集塵手段に集められた塵は、一定量にまとめて廃棄することができる。
【００１０】
従って、本発明の清掃システムによれば、給気ダクトと排気ダクトとに連通する通路を構成するバイパスダクトと、前記通路を開閉する開閉ダンパと、排気側空調機に配設された集塵手段とを備えることにより、１回の清掃作業において開閉ダンパを開閉するだけで、給気ダクトと排気ダクトを効率よく清掃することができる。よって、従来のように給気ダクトと排気ダクトを個別に掃除する手間が解消される。
【００１１】
本発明の清掃システムにおいて、空調機ダクトの集塵手段は、排気装置よりも排気ダクトに近い位置に配設されていることが好ましい。これにより、塵の殆どが排気装置に吸入される前に集塵手段に収集されるので、塵が排気装置に付着して吸引力を低下させるのを防止することができる。
【００１２】
本発明の清掃システムにおいて、バイパスダクトは、給気ダクトと排気ダクトとの間に取り外し可能に結合されることが好ましい。この場合、給気ダクトと排気ダクトの清掃の終了後に、バイパスダクトを撤去することで空調機ダクトの占有スペースを減らすことができる。
【００１３】
本発明の空調機ダクトの清掃方法は、上記の清掃システムで実施される方法であり、給気ダクトと排気ダクトとに連通する通路を構成するバイパスダクトが予め設置されている場合と、設置されていない場合とで、方法の態様が異なる。
【００１４】
第一の態様は、上記の清掃システムで以前に清掃が実施されてバイパスダクトが残っている場合や、清掃以外の理由で給気ダクトと排気ダクトとの間をバイパスダクトで接続している場合の清掃方法であり、第二の態様は、清掃前に上記のバイパスダクトが存在しない場合の清掃方法である。
【００１５】
第一態様の清掃方法は、排気装置を備えた排気側空調機に連通する排気ダクトと給気側空調機に連通する給気ダクトとからなる空調機ダクトを清掃する方法であって、前記給気ダクトと前記排気ダクトとに連通する通路を構成するバイパスダクトと、前記通路を開閉する開閉ダンパと、前記排気側空調機に配設された集塵手段とを有する清掃システムにおいて、前記開閉ダンパで前記通路を開いたときに、前記バイパスダクトを介して前記給気ダクト内の塵を前記排気装置により前記排気側空調機に吸引して前記集塵手段に収集する工程と、前記開閉ダンパで前記通路を閉じたときに、前記排気ダクト内の塵を前記排気装置により前記排気側空調機に吸引して前記集塵手段に収集する工程とを行うことを特徴とする。
【００１６】
上記第一態様の清掃方法を実施する清掃システムでは、バイパスダクトが給気ダクトと排気ダクトとに連通する通路を構成しており、開閉ダンパで開閉される。そこで、空調機ダクトを清掃する際には、前記通路を開閉ダンパで開いた状態にして、排気側空調機に装備又は配置された排気装置を作動させると、給気ダクト内の塵がバイパスダクトの開いた通路を通って、排気側空調機に連通した排気ダクトに吸引され、排気側空調機に配設された集塵手段に収集される。
【００１７】
また、前記通路を開閉ダンパで閉じると、給気ダクトと排気ダクトとの間の連通が遮断された状態になる。そこで、排気装置を作動させると、排気ダクト内の塵が排気ダクトから排気側空調機に吸引され、排気側空調機に配設された集塵手段に収集される。以上のようにして集塵手段に集められた塵は、一定量にまとめて廃棄することができる。
【００１８】
従って、第一態様の清掃方法によれば、１回の清掃作業において開閉ダンパを開閉するだけで、給気ダクトと排気ダクトを効率よく清掃することができる。よって、従来のように給気ダクトと排気ダクトを個別に掃除する手間が解消される。
【００１９】
第二態様の清掃方法は、排気装置を備えた排気側空調機に連通する排気ダクトと給気側空調機に連通する給気ダクトとからなる空調機ダクトを清掃する方法であって、前記排気側空調機には、前記排気ダクトから引き込まれた塵を収集する集塵手段が配設され、前記給気ダクト及び前記排気ダクトにそれぞれ接続孔を設ける工程と、開閉ダンパで開閉される通路を構成するバイパスダクトの一端を前記給気ダクトの接続孔に、該バイパスダクトの他端を前記排気ダクトの接続孔にそれぞれ連結する工程と、前記開閉ダンパで前記通路を開いたときに、前記バイパスダクトを介して前記給気ダクト内の塵を前記排気装置により前記排気側空調機に吸引して前記集塵手段に収集する工程と、前記開閉ダンパで前記通路を閉じたときに、前記排気ダクト内の塵を前記排気装置により前記排気側空調機に吸引して前記集塵手段に収集する工程とを行うことを特徴とする。
【００２０】
上記第二態様の清掃方法によれば、バイパスダクトの一端を給気ダクトの接続孔に連結し、バイパスダクトの他端を排気ダクトの接続孔に連結することにより、バイパスダクトを介して給気ダクトと排気ダクトとが連通する。
【００２１】
ここで、前記開閉ダンパで前記通路を開いた場合には、給気ダクト内の塵を、前記バイパスダクトを介して排気装置により排気側空調機に吸引して集塵手段に収集する。これにより、バイパスダクトを介して給気ダクトと排気ダクトとを連通させ、既存の排気装置を利用して、給気ダクトを清掃することができる。
【００２２】
また、前記開閉ダンパで前記通路を閉じた場合には、排気ダクト内の塵を、前記排気装置により排気側空調機に吸引して前記集塵手段に収集する。このとき、給気ダクトと排気ダクトとの連通は開閉ダンパによって遮断されているので、既存の排気装置を利用して、効率よく排気ダクトを清掃することができる。
【００２３】
以上のように、本発明の空調機ダクトの清掃方法によれば、既存の排気装置と排気側空調機に配設された集塵手段を利用して、給気ダクトと排気ダクトを効率よく清掃する方法を実現することができる。
【００２４】
本発明の清掃方法において、前記集塵手段は、前記排気装置よりも前記排気ダクトに近い位置に配設されていることが好ましい。これによって、塵の殆どが排気装置に付着する前に集塵手段に収集されているので、塵が排気装置に付着し難くなり、排気装置による吸引力の低下を防止することができる。
【００２５】
本発明のバイパスダクトは、排気装置を備えた給気側空調機に連通する給気ダクトと排気側空調機に連通する排気ダクトとからなる空調機ダクトの清掃に用いられるダクトであって、その内部通路を開閉自在な開閉ダンパを備え、一端が前記給気ダクトに接続され、他端が前記排気ダクトに接続されるように構成したことを特徴とする。
【００２６】
本発明のバイパスダクトによれば、清掃の際には、バイパスダクトを給気ダクトと排気ダクトとの間に接続することにより、バイパスダクトを介して給気ダクトと排気ダクトとが連通する状態となる。ここで、開閉ダンパでバイパスダクトの内部通路を開いた場合には、給気ダクト内の塵を、バイパスダクトを介して排気装置により排気側空調機に吸引することができる。また、開閉ダンパで前記通路を閉じた場合には、排気ダクト内の塵を、前記排気装置により排気側空調機に吸引することができる。このとき、給気ダクトと排気ダクトとの連通は開閉ダンパによって遮断されているので、効率よく排気ダクトを清掃することができる。
【００２７】
上記のように本発明のバイパスダクトを用いて、給気ダクトと排気ダクトを連通させる通路を形成し、該通路を開閉することにより、給気ダクトと排気ダクトを効率よく清掃する方法を実現することができる。
【図面の簡単な説明】
【００２８】
【図１】本発明の実施形態に係る空調機ダクトの清掃システムの構成図。
【図２】給気ダクトの斜視図。
【図３】バイパスダクトを給気ダクトと排気ダクトに接続した状態を示す斜視図。
【図４】（ａ）は本発明の実施形態に係る空調機ダクトの清掃システムを構成するバイパスダクトの開閉ダンパを示す斜視図、（ｂ）はバイパスダクトの接続枠体の斜視図。
【図５】図４（ａ）においてＶ−Ｖ線に沿う断面図で、（ａ）は開閉ダンパの開き状態、（ｂ）は開閉ダンパの閉じ状態を示している。
【図６】本発明の実施形態に係る空調機ダクトの清掃システムを用いて給気ダクトを清掃する模式図。
【図７】本発明の実施形態に係る空調機ダクトの清掃システムを用いて排気ダクトを清掃する模式図。
【図８】本発明の実施形態に係る空調機ダクトの清掃方法のフローチャート。
【発明を実施するための形態】
【００２９】
〔空調機ダクトの清掃システム〕
図１に示すように、本発明の実施形態に係る空調機ダクトの清掃システム１は、排気側空調機３が備えた排気装置３３を用いて、給気側空調機２に連通する給気ダクト４及び排気側空調機３に連通する排気ダクト５からなる空調機ダクト内の塵を除去する除塵手段７と、一端が給気ダクト４に設けられる接続孔４１に接続され、他端が前記排気ダクト５に設けられる接続孔５１に接続されるバイパスダクト６と、バイパスダクト６内の通路（後述するダンパ通路６１ｂ）を開閉自在な開閉ダンパ６１と、排気側空調機３に配設される集塵フィルタ３２とを備える。
【００３０】
給気側空調機２は、室外の空気を室内に供給するための給気口２１と、給気ダクト４の一端の開口と連結するための開口２２とを備える。
【００３１】
排気側空調機３は、室内の空気を室外に排出するための排気口３１と、塵を収集する集塵フィルタ３２と、室内の空気を排気口３１に運ぶための排気装置３３と、排気ダクト５の一端の開口と連結するための開口３４とを備える。排気装置３３は、排気口３１に接近して配設され、集塵フィルタ３２は、排気装置３３と排気側空調機３の開口３４との間に、従って排気装置３３よりも排気ダクト５に近い位置に配置されている。
【００３２】
或いは、集塵フィルタ３２を排気口３１に接近して配置し、集塵フィルタ３２と排気側空調機３の開口３４との間に排気装置３３を配置してもよい。ただし、この場合、塵は集塵フィルタ３２に収集される前に、一部が排気装置３３に付着して集塵フィルタ３２に到達しない恐れがある。
【００３３】
図２に示すように、給気ダクト４は、給気通路４３を構成する断面矩形の筒状部材で形成されているが、円筒状又は多角形断面の筒状部材で形成されてもよい。給気ダクト４の一端の開口は、給気側空調機２の開口２２と接続されている。給気ダクト４の一側壁には、給気ダクト４の一端の開口に近接する位置で、後述するバイパスダクト６の一端を接続するための矩形の接続孔４１が設けられている。給気ダクト４の接続孔４１の周囲には、ねじ止めするための貫通孔４２が形成されている。
【００３４】
図３に示すように、排気ダクト５は、排気通路５２を構成する断面矩形の筒状部材で形成されているが、円筒状又は多角形断面の筒状部材で形成されてもよい。排気ダクト５の一端の開口が排気側空調機３の開口３４と接続されている。排気ダクト５の一側壁には、排気ダクト５の一端の開口に接近する位置で、後述するバイパスダクト６の他端を接続するための矩形の接続孔５１が設けられている。排気ダクト５の接続孔５１の周囲には、上記給気ダクト４と同様に、ねじ止めするための貫通孔（図示省略）が形成されている。排気ダクト５の接続孔５１（図１参照）は、給気ダクト４の接続孔４１と対向するように形成されている。
【００３５】
バイパスダクト６は、図４（ａ）（ｂ）に示すように、開閉ダンパ６１を備えたダクト本体と、該本体の両開口端に取り付けられる２つの接続枠体６２とで構成される。
【００３６】
ダクト本体は、図３に示すように、一方の開口端が接続枠体６２を介して給気ダクト４の接続孔４１の周縁部に連結され、他方の開口端が別の接続枠体６２を介して排気ダクト５の接続孔５１の周縁部に連結される。これらの連結には、ねじ穴を設けてねじ止めするボルトが用いられる。これによれば、ダクトの清掃が完了したときに、ねじ止めを解除することでバイパスダクトを取り外すことができる、なお、バイパスダクトを取り外す必要がない場合には、金属製ダクトの溶接やリベットによってバイパスダクトを固定的に結合するようにしてもよい。
【００３７】
開閉ダンパ６１は、一定の厚みを有する矩形の枠型のケーシング６１ａと、その内部空間で形成される開閉ダンパ通路６１ｂと、作業者等の操作によって開閉ダンパ通路６１ｂを開いた状態（図５（ａ））と閉じた状態（図５（ｂ））とを切り替えるハンドル６１ｃと、ケーシング６１ａの両端に設けられ、その周壁よりも外側に拡張した外枠部６１ｄと、ケーシング６１ａ内に軸６１ｈを支点として回転自在に支持され、開閉ダンパ通路６１ｂの開閉を行う羽根６１ｅと、ハンドル６１ｃの操作により羽根６１ｅを回動させる伝達機構６１ｆとを備える。外枠部６１ｄには、ねじ止めするための貫通孔６１ｇが複数形成されている。
【００３８】
接続枠体６２は、所定の厚みを有する矩形の枠部材６２ａと、枠部材６２ａの内部開口６２ｂと、枠部材６２ａの両端に設けられ、枠部材６２ａの周壁よりも外側に拡張した外枠部６２ｃとからなる。外枠部６２ｃには、ねじ止めするための貫通孔６２ｄが複数形成されている。
【００３９】
図５（ａ）及び図５（ｂ）に示すように、羽根６１ｅは、ケーシング６１ａに支持された軸６１ｈの周りに回転自在に取り付けられている。伝達機構６１ｆは、ハンドル６１ｃから筐体部６１ｎ内に延びて、筐体部６１ｎ内に設けた軸受６１ｐに先端が回転自在に支持されたハンドル軸６１ｉと、ハンドル軸６１ｉの中間部に一体的に設けたウォーム６１ｊと、ウォーム６１ｊに歯合して回転する扇形歯車６１ｋと、該扇形歯車６１ｋの回転運動を羽根６１ｅに伝達するリンク部材６１ｍとで構成されている。この伝達機構６１ｆは、ケーシング６１ａの周壁に設けられる筐体部６１ｎに収容されている。
【００４０】
以上のように構成された開閉ダンパ６１によれば、ハンドル６１ｃを把持して回転させると、ウォーム６１ｊの回転が歯車６１ｋで減速され、リンク部材６１ｍを介して羽根６１ｅを回動させる。これにより、羽根６１ｅを、開閉ダンパ通路６１ｂを開いた位置（図５（ａ））と閉じた位置（図５（ｂ））のいずれにも設定することができる。
【００４１】
本実施形態では、上記の給気ダクト４と排気ダクト５とは、バイパスダクト６を介して連結されている。開閉ダンパ６１がダンパ通路６１ｂを開いた場合には、バイパスダクト６の内部通路を介して給気通路４３と排気通路５２とが連通する。一方、開閉ダンパ６１がダンパ通路６１ｂを閉じた場合には、給気通路４３と排気通路５２との連通が遮断される。
【００４２】
除塵手段７は、給気ダクト４の給気通路４３及び排気ダクト５の排気通路５２に挿通可能で、給気通路４３及び排気通路５２に沿って移動しながら、給気ダクト４及び排気ダクト５内の塵を除去することができるものである。除塵手段７が、周知のブラシ方式、乱打方式、ハタキ方式、もしくは噴射方式のもの等によって実現されている。
【００４３】
また、本実施形態の空調機ダクトにおいては、図１，図６及び図７に示すように、給気ダクト４は、接続孔４１より給気側空調機側（左側）に設けられ、給気通路４３を開いた状態と閉じた状態との切り替えを行う第１の開閉ダンパ４４と、接続孔４１より給気側空調機側の反対側（右側）に設けられ、給気通路４３を開いた状態と閉じた状態との切り替えを行う第２の開閉ダンパ４５とを備える。
【００４４】
この２つ開閉ダンパ４４及び４５は、従来、集塵機及び仮設ダクトを用いて給気ダクト４の全体を清掃するために配設されている。詳細には、仮設ダクトを給気ダクト４の第１の開閉ダンパ４４と第２の開閉ダンパ４５との間に連結した状態で、第１の開閉ダンパ４４で給気通路４３の一部を開く一方、第２の開閉ダンパ４５で給気通路４３の一部を閉じ、第２の開閉ダンパ４５よりも給気側空調機側の給気ダクト４を清掃する。次に、第１の開閉ダンパ４４で給気通路４３の一部を閉じる一方、第２の開閉ダンパ４５で給気通路４３の一部を開き、第１の開閉ダンパ４４よりも給気側空調機側と反対側の給気ダクト４を清掃する。
【００４５】
また、排気ダクト５は、接続孔５１より排気側空調機側（左側）に設けられ、排気通路５２を開いた状態と閉じた状態との切り替えを行う第３の開閉ダンパ５３と、接続孔５１より排気側空調機側の反対側（右側）に設けられ、排気通路５２を開いた状態と閉じた状態との切り替えを行う第４の開閉ダンパ５４とを備える。
【００４６】
この２つの開閉ダンパ５３及び５４も、従来、集塵機及び仮設ダクトを用いて排気ダクト５の全体を清掃するために、排気ダクト５に配設されている。詳細には、仮設ダクトを排気ダクト５の第３の開閉ダンパ５３と第４の開閉ダンパ５４との間に連結した状態で、第３の開閉ダンパ５３で排気通路５２の一部を開くとともに、第４の開閉ダンパ５４で排気通路５２の一部を閉じ、第４の開閉ダンパ５４よりも排気側空調機側の排気ダクト５を清掃する。次に、第３の開閉ダンパ５３で排気通路５２の一部を閉じるとともに、第４の開閉ダンパ５４で排気通路５２の一部を開き、第３の開閉ダンパ５３よりも排気側空調機側と反対する側の排気ダクト５を清掃する。
【００４７】
上記第１の開閉ダンパ４４、第２の開閉ダンパ４５、第３の開閉ダンパ５３及び第４の開閉ダンパ５４は、開閉ダンパ６１と同じように開閉自在に構成されている。
【００４８】
給気ダクト４を清掃するとき、第１の開閉ダンパ４４と第４の開閉ダンパ５４でそれぞれ給気通路４３と排気通路５２の一部を閉じるとともに、第２の開閉ダンパ４５、第３の開閉ダンパ５３及び開閉ダンパ６１でそれぞれ給気通路４３と排気通路５２との一部及びダンパ通路６１ｂを開いて、排気装置３３を作動させながら、除塵手段７を給気ダクト４の他端の開口から給気通路４３に挿入して給気ダクト４内の塵を除去する。
【００４９】
除去された塵は、図６において矢印８で示されるように、給気ダクト４からバイパスダクト６の開閉ダンパ通路６１ｂと接続枠体６２の開口６２ｂ、及び排気通路５２の接続孔５１より左側の部分を経由して、排気側空調機３に吸引され、集塵フィルタ３２に収集される。
【００５０】
また、排気ダクト５を清掃するとき、開閉ダンパ６１がダンパ通路６１ｂを閉じるとともに、第３の開閉ダンパ５３と第４の開閉ダンパ５４が排気通路５２を開いて、既存の電源が排気装置３３に駆動力を供給した状態では、除塵手段７を排気ダクト５の他端の開口から排気通路５２に挿入して排気通路５２に沿って移動しながら排気ダクト５内の塵を除去する。このとき、バイパスダクト６の通路は閉じているので、除去された塵は、図７において矢印９で示されるように、そのまま排気通路５２から排気側空調機３に吸引され、集塵フィルタ３２に収集される。
【００５１】
上記のように、バイパスダクト６を介して給気ダクト４と排気ダクト５とを連結して既存の排気装置３３を利用することで、従来の仮設ダクト及び集塵機を用意する必要なく、給気ダクト４及び排気ダクト５を清掃することができる。
【００５２】
上記のように給気ダクト４と排気ダクト５とを清掃した後、開閉ダンパ６１がダンパ通路６１ｂを閉じるとともに、第１の開閉ダンパ４４、第２の開閉ダンパ４５、第３の開閉ダンパ５３及び第４の開閉ダンパ５４がそれぞれ給気通路４３及び排気通路５２を開くことで、給気通路４３と排気通路５２との連通が遮断される。このため、バイパスダクト６を取り外さなくても、空調機の通常稼働が可能となる。また、バイパスダクト６を取り外して、給気ダクト４の接続孔４１と排気ダクトの接続孔５１とにそれぞれ蓋をしてもよい。
【００５３】
また、第１の開閉ダンパ４４、第２の開閉ダンパ４５、第３の開閉ダンパ５３、及び第４の開閉ダンパ５４の代わりに、給気ダクト４と排気ダクト５との内周の断面を一時的に閉塞することができる遮蔽板のような部材を必要に応じて設けてもよい。その場合には、除塵手段７で給気ダクト４及び排気ダクト５内の塵を除去する作業が容易になる。
【００５４】
〔空調機ダクトの清掃方法〕
図８に示すように、本発明の実施形態に係る空調機ダクトの清掃方法は、給気側空調機２に連通する給気ダクト４及び排気側空調機３に連通する排気ダクト５にそれぞれ接続孔４１，５１を設ける工程ＳＴ１と、バイパスダクト６の一端を給気ダクト４の接続孔４１に連結し、バイパスダクト６の他端を排気ダクト５の接続孔５１に連結する工程ＳＴ２と、開閉ダンパ６１を開いた状態で、給気ダクト４内の塵を除塵手段７により除去し、該塵を、バイパスダクト６を介して排気装置３３により排気側空調機３に吸引して排気側空調機３に配設された集塵フィルタ３２に収集する工程ＳＴ３と、開閉ダンパ６１を閉じた状態で、排気ダクト５内の塵を除塵手段７により除去し、該塵を、排気装置３３により排気側空調機３に吸引して集塵フィルタ３２に収集する工程ＳＴ４とを備える。
【００５５】
詳細には、先ず、工程ＳＴ１においては、給気ダクト４の一端の開口に近接する位置であって、給気ダクト４の一側壁には、バイバスダクト６の一端に相当する接続枠体６２と連結する接続孔４１を設けるとともに、排気ダクト５の一端の開口に近接する位置であって、接続孔４１が設けられる給気ダクト４の一側壁と対向する排気ダクト５の一側壁には、バイバスダクト６の他端に相当する別の接続枠体６２と連結する接続孔５１を設ける。
【００５６】
次に、工程ＳＴ２においては、バイパスダクト６の一端に相当する接続枠体６２を給気ダクト４の接続孔４１に連結し、バイパスダクト６の他端に相当する別の接続枠体６２を排気ダクト５の接続孔５１に連結する。これによって、給気ダクト４と排気ダクト５とは、バイパスダクト６を介して連結されている。
【００５７】
次に、工程ＳＴ３においては、開閉ダンパ６１を開いた状態で、除塵手段７を給気ダクト４の他端の開口から給気通路４３に挿入して、給気通路４３に沿って移動しながら給気ダクト４内の塵を除去し、除去された給気ダクト４の塵を、排気装置３３によりバイパスダクト６（開閉ダンパ通路６１ｂと接続枠体６２の開口６２ｂ）及び一部（接続孔５１の左側）の排気通路５２を経由して排気側空調機３に吸引して、集塵フィルタ３２に収集する。
【００５８】
最後に、工程ＳＴ４においては、開閉ダンパ６１を閉じた状態で、除塵手段７を排気ダクト５の他端の開口から排気通路５２に挿入して、排気通路５２に沿って移動しながら排気ダクト５内の塵を除去し、除去された排気ダクト５の塵を、排気装置３３によりバイパスダクト６を経由せず排気側空調機３に吸引して、集塵フィルタ３２に収集する。
【００５９】
なお、工程ＳＴ３と工程ＳＴ４との順番を入れ替えてもよい。
【００６０】
このように、工程ＳＴ１〜ＳＴ４を実行することによって、バイパスダクト６を介して給気ダクト４と排気ダクト５とを連結して既存の排気装置３３を活用することで、集塵機を設置することなく、給気ダクト４及び排気ダクト５を清掃することができる。
【００６１】
また、給気ダクト４と排気ダクト５とは、予めバイパスダクト６を介して連結された場合に、即ち工程ＳＴ１及び工程ＳＴ２は、既に実行された場合に、工程ＳＴ３及び工程ＳＴ４のみを実行しても、バイパスダクト６を介して給気ダクト４と排気ダクト５とを連結して既存の排気装置３３を活用することで、集塵機を設置することなく、給気ダクト４及び排気ダクト５を清掃することができる。
【符号の説明】
【００６２】
１…空調機ダクトの清掃システム、２…給気側空調機、３…排気側空調機、４…給気側ダクト、５…排気側ダクト、６…バイパスダクト、７…除塵手段、８…給気ダクトの集塵ルート、９…排気ダクトの集塵ルート、３２…集塵フィルタ（集塵手段）、３３…排気装置、４１…接続孔、４２…貫通孔、４３…給気通路、４４…第１の開閉ダンパ、４５…第２の開閉ダンパ、５１…接続孔、５２…排気通路、５３…第３の開閉ダンパ、５４…第４の開閉ダンパ、６１…開閉ダンパ、６１ａ…ケーシング、６１ｂ…開閉ダンパ通路（通路）、６１ｃ…ハンドル、６１ｄ…外枠部、６１ｅ…羽根、６１ｆ…伝達機構、６１ｇ…貫通孔、６２…接続枠体、６２ａ…枠部材、６２ｂ…開口、６２ｃ…外枠部、６２ｄ…貫通孔。
【図１】
2015132446.tif 000003
【図２】
2015132446.tif 000004
【図３】
2015132446.tif 000005
【図５】
2015132446.tif 000006
【図６】
2015132446.tif 000007
【図７】
2015132446.tif 000008
【図８】
2015132446.tif 000009
【図４】
2015132446.tif 000010